(57)【特許請求の範囲】
【請求項１】
画面を表示するデバイスを有する表示部と、
前記表示部の裏面に設けられ、前記表示部への携帯端末の近接を検出する検出部と、
前記携帯端末から、前記携帯端末の動作に関する情報を受信する受信部と、
前記検出部により検出された前記携帯端末の近接と、前記受信部により受信した前記携帯端末の動作に関する情報と、に基づいて、所定のプログラムを実行することにより、前記画面に表示される内容が変更される実行部と、
を備える表示装置。
【請求項２】
前記動作は、前記携帯端末の回転動作であり、
前記実行部は、前記プログラムを実行することにより、前記携帯端末の回転位置に応じて、情報に対するアクセス制限の解除を行う、
請求項１に記載の操作表示装置。
【請求項３】
前記動作は、前記携帯端末の回転動作であり、
前記実行部は、前記プログラムを実行することにより、前記携帯端末の回転方向に応じて、情報に対するアクセス制限の解除を行う、
請求項１に記載の操作表示装置。
【請求項４】
前記受信部は、前記携帯端末における加速度センサの出力に基づいた前記回転動作に関する情報を受信する、
請求項２または３に記載の操作表示装置。
【請求項５】
画面を表示するデバイスを有する表示部の裏面に設けられ、前記表示部への携帯端末の近接を検出し、
前記携帯端末から、前記携帯端末の動作に関する情報を受信し、
検出された前記携帯端末の近接と、受信した前記携帯端末の動作に関する情報と、に基づいて、所定のプログラムを実行することにより、前記画面に表示される内容が変更される、
ことを含む操作表示方法。
【発明の詳細な説明】
【技術分野】
【０００１】
本発明の実施形態は、操作表示装置および操作表示方法に関する。
【背景技術】
【０００２】
従来、タッチパネルによるユーザインタフェイスを備えた操作表示装置が知られている。操作表示装置においては、例えば利用者が指や指定の端末において、ユーザインタフェイス上に表示されたアイコン等に触れた場合に、アイコンに関連付けられた所定のプログラムが起動されるようになっている。この際に、利用者が指でタッチパネルに触れたのか、端末でタッチパネルに触れたのかを判別するために、操作表示装置に無線通信によって端末を検出する検出センサーを設けるようにし、検出センサーによって機器が検出された場合に、端末による接触であると判定する構成が知られている。
【先行技術文献】
【特許文献】
【０００３】
【特許文献１】特開２００８−１２３４７６号公報
【発明の概要】
【発明が解決しようとする課題】
【０００４】
しかしながら、操作表示装置が大きく、タッチパネル上に複数の端末が検出されている場合などに、無線通信によって取得された機器の識別情報からは、実際にどの端末と装置間との間で処理を行ったらよいのかを判別できない場合が存在する。
【０００５】
本発明の実施形態は、上記に鑑みてなされたものであって、操作表示装置に対して操作を加える端末をより好適に検出することができる操作表示装置を提供することにある。
【課題を解決するための手段】
【０００６】
実施形態の操作表示装置は、画面を表示するデバイスを有する表示部と、前記表示部の裏面に設けられ、前記表示部への携帯端末の近接を検出する検出部と、前記携帯端末から、前記携帯端末の動作に関する情報を受信する受信部と、前記検出部により検出された前記携帯端末の近接と、前記受信部により受信した前記携帯端末の動作に関する情報と、に基づいて、所定のプログラムを実行することにより、前記画面に表示される内容が変更される実行部と、を備える。
【図面の簡単な説明】
【０００７】
【図１】図１は、第１の実施形態の操作表示装置のハードウェア構成図である。
【図２】図２は、第１の実施形態のアイコン記憶部に記憶されるデータのデータ構造の一例を示す図である。
【図３】図３は、第１の実施形態の近接検出部の配置態様の一例を示す図である。
【図４】図４は、第１の実施形態での近接検出部のそれぞれが検出可能な範囲を記憶したデータテーブルのデータ構造図である。
【図５】図５は、第１の実施形態のデータ転送プログラム実行時の画面遷移を示す図である。
【図６】図６は、第１の実施形態のデータを転送する際のユーザインタフェイス画面の一例である。
【図７】図７は、第１の実施形態のアクセス制限を解除する場合のユーザインタフェイス画面の一例を示す図である。
【図８】図８は、第１の実施形態でフォルダのアクセス制限解除にかかる処理の流れを示すフロー図である。
【図９】図９は、第１の実施形態でプログラムを起動する処理の流れを示すフロー図である。
【図１０】図１０は、第１の実施形態の起動されるプログラムの詳細な処理の流れを示すフロー図である。
【図１１】図１１は、第１の実施形態の決済におけるユーザインタフェイス画面の一例である。
【図１２】図１２は、第２の実施形態の操作表示装置のハードウェア構成図である。
【図１３】図１３は、第２の実施形態における時間計測の契機を示すタイミングチャートの一例である。
【図１４】図１４は、第２の実施形態における時間計測の契機を示すタイミングチャートの一例である。
【図１５】図１５は、第２の実施形態における時間計測の契機を示すタイミングチャートの一例である。
【発明を実施するための形態】
【０００８】
以下に、本発明にかかる操作表示装置の実施形態を図面に基づいて詳細に説明する。なお、この実施形態によりこの発明が限定されるものではない。実施形態における操作表示装置は、タッチパネル式の表示部にユーザインタフェイス画面が表示されており、ユーザインタフェイス画面に携帯端末で接触することで所定の処理が実行されるものである。携帯端末は、例えばスマートフォン等を利用することができるが、他の専用のデバイスを利用してもよい。
（第１の実施形態）
【０００９】
図１は、第１の実施形態の操作表示装置１のハードウェア構成図である。図１に示されるように、操作表示装置１は、表示部１１、ＣＰＵ１２、表示コントローラ部１３、ＲＯＭ・ＲＡＭ１４、位置取得部１５、近接検出部１６、位置取得部ＩＦ部１７、近接検出部ＩＦ部１８、及び通信ＩＦ部１９を備えている。
【００１０】
表示部１１は、液晶表示パネルなどにより構成されており、利用者に対するユーザインタフェイス画面を表示する。ＣＰＵ１２、及び表示コントローラ部１３は、表示部１１に情報やユーザインタフェイス画面を画像の形式に変換して描画する。
【００１１】
ＲＯＭ・ＲＡＭ１４は、アイコン記憶部２１、配置記憶部２２、プログラム群２３、及び起動部２４を備えている。アイコン記憶部２１は、ユーザインタフェイス画面上に表示するアイコン部の画像データ、特定の処理を行うプログラム、アイコン部の表示部１１のユーザインタフェイスにおける表示位置を表す第１位置情報と、を対応付けて記憶している。図２は、アイコン記憶部２１に記憶されるデータのデータ構造を示した図である。図２に示されるように、アイコンデータテーブル５０は、アイコンの識別情報である表示アイコンＩＤと、第１位置情報の一例である座標、及びアイコンサイズと、アイコンに用いられる画像データを指定するオブジェクトＩＤと、及び端末の属性毎に起動するプログラムとを１レコードに対応付けて記憶している。オブジェクトＩＤによって規定されるアイコンの画像データは、ＣＰＵ１２によって表示コントローラ部１３を通じて、表示部１１の指定の位置に描画される。また、本実施形態においては、プログラムは、携帯端末の属性がタイプ１と特定される場合、属性がタイプ２と特定される場合、及び指により表示部１１が接触された場合の３パターンが存在し、アイコン記憶部２１に各アイコン部に接触することで起動されるプログラムの対応関係が記憶されている。
【００１２】
図１に戻り、配置記憶部２２は、複数設けられている近接検出部１６の検出可能な範囲を記憶する。図３は、近接検出部１６の配置態様の一例を示す図であり、図４は、近接検出部１６のそれぞれが検出可能な範囲を記憶した配置情報テーブル６０のデータ構造図である。図３に示されるように、近接検出部１６は、表示部１１の裏面に、複数配置されている。近接検出部１６は、例えばＲＦＩＤなどにより構成されており、チップが搭載された端末との間で情報を通信することが可能である。近接検出部１６の配置位置は、表示部１１の左右方向においてＸ１〜Ｘ４、上下方向においてはＹ１〜Ｙ４の組み合わせによって規定することができる。例えば、近接検出部１６ａの位置はＸ１Ｙ１として表すことができる。近接検出部１６は、それぞれこのＸ１〜Ｘ４、及びはＹ１〜Ｙ４の組み合わせによる１６個の位置にそれぞれ設けられている。また、近接検出部１６それぞれの検出可能な範囲の広さは、隣接する近接検出部１６を含む領域に達する程度となっており、それぞれの検出可能な範囲は表示部１１よりは小さい。近接検出部１６は、検出可能なチップを搭載した携帯端末がそれぞれの検出範囲内に存在すると、携帯端末からその識別情報を取得する。近接検出部１６は、取得した携帯端末の識別情報をどの近接検出部１６が取得したかを一時的にＲＯＭ・ＲＡＭ１４に記憶する。
【００１３】
図４に示されるように、配置記憶部２２の配置情報テーブル６０は、近接検出部１６の識別情報、座標情報、及び検出範囲の３つのデータを対応付けられて記憶する。識別情報は、近接検出部１６のそれぞれを特定する識別情報である。また、座標情報は、それぞれの近接検出部１６が設けられている位置に相当する表示部１１上の位置座標である。また、検出範囲は近接検出部１６の検出可能領域の広さを示す値であり、本実施形態では半径の長さが記憶されている。
【００１４】
図１に戻り、プログラム群２３は、上述した属性のタイプ１に対応したプログラム、属性のタイプ２に対応したプログラム、及び指により表示部１１が接触された場合に対応したプログラムなどを含む。また、起動部２４は、接触した端末に応じて起動するプログラムを決定する。具体的には、起動部２４は、位置取得部１５が取得した表示部１１への接触があった位置座標を取得すると、取得した位置座標と最も近い場所における近接検出部１６によって取得され、一時的に記憶されている携帯端末の識別情報を取得し、取得した識別情報によって特定される携帯端末の属性に応じたプログラムを起動させる。例えば、識別情報が属性タイプ１に対応するものであれば、属性タイプ１に対応するプログラムを起動させる。なお、携帯端末が接触した位置の位置座標と、アイコンに対応付けられた位置座標とが必ずしも、一致、もしくは重なってなくてもよく、これらの位置座標が例えば所定値以内の距離で近接している場合に、プログラムを起動させるようにしてもよい。
【００１５】
位置取得部１５は、第２位置情報の一例である、表示部１１に携帯端末が接触した位置座標を取得する。位置取得部１５は、表示部１１の表面に貼られたタッチセンサーフィルムにより構成される。タッチセンサーフィルムにはＸ軸方向、及びＹ軸方向にセンサーが並んでおり、ユーザが手や指でなどで触ったり、携帯端末などで画面に表示されたアイコンなどに触ったりすると、タッチフィルムセンサーがこれらの接触を検出して、操作指示がＣＰＵ１１へと伝えられる。なお、実際に接触していなくても、ほぼ接触した状態を接触とみなすような構成であってもよい。位置取得部１５が取得した位置座標は、位置取得部ＩＦ部１７を通じて、ＣＰＵ１２へと入力される。また、近接検出部１６が検出した携帯端末の識別情報は、近接検出部ＩＦ部１８を通じて、ＣＰＵ１２へと入力される。また、操作表示装置１は、通信ＩＦ部１９を介して、Ｂｌｕｅｔｏｏｔｈ（登録商標）や無線ＬＡＮによる携帯端末１００へのデータ送受信や、無線ＬＡＮによるインターネット通信等を行うことができる。
【００１６】
図５は、本実施形態の操作表示装置１でデータ転送プログラム実行時のユーザインタフェイス画面の表示例を示す。図５（ａ）に示されるように、操作表示装置１の表示部１１には、ＲＯＭ・ＲＡＭ１４に記憶されている３つの動画、３つの音楽、及び２つの写真のデータが、それぞれ異なる種類のアイコンで表示されている。また、携帯端末側で選択しているデータをアップロードするアップロードアイコン３１が表示されている。
【００１７】
この表示部１１のユーザインタフェイス画面に対して、２つの異なる携帯端末１００、及び２００で触れる場合について説明する。図５（ｂ）は、携帯端末１００が、アップロードアイコン３１上に置かれ、携帯端末２００がどのアイコンにも触れない位置に置かれたた状態を示している。この場合、近接検出部１６により、携帯端末１００、２００の双方が検出され、それぞれの識別情報が取得される。一方、データのアップロードを行うプログラムは、このアップロードアイコン３１と最も近い近接検出部１６によって取得された識別情報で特定される携帯端末１００との間で実行される。したがって、起動部２４は、携帯端末１００と操作表示装置１との間でデータを転送するプログラムを起動する。そして操作表示装置１は、通信ＩＦ部１９を介してデータを転送する。なお、近接検出部１６が例えばＴｒａｎｓｆｅｒＪｅｔ（登録商標）のような近接無線通信のモジュールであれば、操作表示装置１は近接検出部１６を用いてデータを転送してもよい。
【００１８】
図５（ｃ）の画面においては、携帯端末１００から操作表示装置１に転送されたデータを示すアイコン３２がアップロードアイコン３１の隣に追加表示される。プログラムは、データの種別を判定し、データが動画、音楽、及び写真のいずれかかを判別して、適切なアイコンを付与する。また、データの種別に応じて、記憶するデータフォルダを映像や音楽などの専用フォルダに記憶先を指定するようにしてもよい。
【００１９】
なお、この際のデータを転送する際のユーザインタフェイス画面の一例として例えば図６のような態様がある。図６は、携帯端末１００を表示部１１に触れさせた場合に表示されるグラフィックスの例を示している。図６（ａ）に示されるように、携帯端末１００に記憶されている写真データは携帯端末１００の画面上にアイコンなどの形で表示されており、携帯端末１００が操作表示装置１の表示部１１に触れた際に、データ転送が開始される。
【００２０】
次いで、図６（ｂ）〜（ｄ）に示されるように、データの転送の進行度合い、具体的にはデータの総容量に対して転送完了したデータ量や未転送のデータ量に応じた割合に相当するアイコンの一部が携帯端末１００の画面に、他の部分が表示部１１にそれぞれ表示される。データ転送中に操作表示装置１の表示部１１に表示されるアイコンの位置は、位置取得部１５によって取得された携帯端末１００の位置座標に基づいて決定される。そして表示部１１は、携帯端末１００の表示画面が表示するアイコンと表示部１１が表示するアイコンとが合わせて１つのアイコンに見えるようにアイコンを表示する。そして、図６（ｅ）に示されるように、表示部１１は、データの転送完了時に、アップロードアイコン３１の隣の位置にデータのアイコン３２を表示する。そしてプログラムは、データの種別を判定し、データが動画、音楽、及び写真の何れであるかに応じた位置にアイコンを表示し、データ転送に係る処理は終了する。
【００２１】
このように、表示部１１にデータ転送の経過を表示することにより、データが携帯端末１００から操作表示装置１へと送り出され、データのアイコンが表示部１１に入って行くかのように見えるように表示することができる。
【００２２】
なお、携帯端末１００が表示部１１に接触したときに、すぐにデータ転送を開始するのではなく、携帯端末１００に確認のダイアログを表示し、ユーザに動作の確認を求めるようにしてもよい。これにより、携帯端末１００が触れたかどうかの判定を誤った時にユーザの意思に反してデータ転送することを防ぐことができる。
【００２３】
また、図５（ｃ）に基づき、動画や写真などのデータを示すアイコンに携帯端末１００が触れた際の動作について説明する。例えば、携帯端末１００が左から二番目の写真のアイコンに触れると、位置取得部１５は、接触のあった位置座標を取得する。また、この際、近接検出部１６が取得している携帯端末１００、２００の識別情報のうち、接触のあった位置座標と最も近い位置に存在する近接検出部１６によって検出されたものが特定され、この特定された携帯端末１００に写真のデータが転送される。
【００２４】
操作表示装置１から携帯端末１００に向かってデータ転送をする場合は、データの総容量に対して転送完了したデータ量や転送済のデータ量に応じた割合に相当するアイコンの一部領域を携帯端末１００の画面に表示する。一方、操作表示装置１の表示部１１には、位置取得部１５が取得した位置座標に基づき、データの総容量に対して未転送のデータ量の割合に相当するアイコンの残りの一部領域（携帯端末に表示されていない領域）が表示される。
【００２５】
また、携帯端末１００の画面の画素密度あるいは解像度と画面サイズの情報を操作表示装置１で受信し、本装置にてアイコンのサイズを調整してして表示してもよい。また、その逆で、本装置の画素密度あるいは解像度と画面サイズの情報を携帯端末に送信し、携帯端末１００にてアイコンのサイズを調整して表示してもよい。これにより、携帯端末１００と本装置上で、アイコンを同一あるいはほぼ同一サイズで表示することができる。また操作表示装置１は、携帯端末１００の向きに関する情報を取得し、当該情報が示す向きに応じたアイコンを表示しても良い。なおこれらの処理は図５（ｂ）に係る処理において行っても良い。即ち、携帯端末１００がアップロードアイコン３１上に置かれてデータ転送が開始された場合に、携帯端末１００と操作表示装置１とが、アイコンを同一あるいはほぼ同一サイズで表示してもよい。
【００２６】
また、近接検出部１６により識別情報が検出されていない場合は、起動部２４は、アイコンには手で触ったものと判定し、そのアイコンが示している写真データの表示を表示部１１上に行う。
【００２７】
また、データ転送の途中で携帯端末１００が表示部１１から離れた場合は、表示部１１及び携帯端末１００はデータ転送を中止する。ユーザは特段のキャンセルのための操作をせずに、直感的にデータ転送の中止を指示することができる。また表示部１１は、転送の開始前、あるいは転送中に、例えば図６（ａ）及び（ｂ）のような「転送ロック」「転送中断」のダイアログを表示してもよい。当該ダイアログに対する選択がなければ、転送を開始したのちに携帯端末１００を表示部１１から離すことでデータ転送は中止されるが、転送ロックが選択された場合は、携帯端末１００が表示部１１から離れてもデータ転送は継続される。このようにすることで、ユーザがデータ転送中の間、継続して携帯端末を表示部１１に触れ続けさせる必要がなくなる。
【００２８】
また、転送中断が選択されれば、データ転送が中断される。転送ロックが選択された場合、携帯端末１００を表示部１１から離しただけではデータ転送は中止されないので、そこでユーザがデータ転送を継続中にやはりデータ転送を中断したいと考えた時に、転送中断が選択されることで、データ転送を中断することができる。
【００２９】
なお図５のように表示部１１が複数のアイコンを表示する場合、当該表示部１１は複数のアイコン夫々を近接検出部１６に対応する位置に配置しても良い。ＴｒａｎｓｆｅｒＪｅｔのような近接無線通信のモジュールを用いてデータ伝送を行う場合、送信側のカプラと受信側のカプラとが対向する場合に通信品質が高くなる。このため、近接検出部１６が近接無線通信のモジュールである場合、例えば近接検出部１６を覆う位置に表示部１１がアイコンを表示すれば、高い通信品質でのデータ転送が可能となる。なおこの場合に操作表示装置１は、図４で示した配置情報テーブル６０に基づいてアイコンの表示位置を制御する。
【００３０】
図７は、操作表示装置１のＲＯＭ・ＲＡＭ１４に格納されているデータにアクセスする場合のアクセス制限を解除する場合のユーザインタフェイス画面の例を示している。ＲＯＭ・ＲＡＭ１４に格納されているデータはフォルダー構造の形式で格納されており、だれでもアクセスしてよいとされるデータはパブリックフォルダに、特定の人だけがアクセスしてよいとされるデータはプライベートフォルダに格納されている。
【００３１】
本実施形態においては、携帯端末１００によって、プライベートフォルダ３００へのアクセス制限を解除することができる。パブリックフォルダ４００は鍵なしのアイコンで表示され、プライベートフォルダ３００は鍵付のアイコンで表示される。鍵付アイコンに特定の携帯端末をタッチすると、位置取得部１５がまず操作表示装置１の表示部１１における携帯端末１００により接触のあったプライベートフォルダ３００の表示位置の位置座標を取得する。また、近接検出部１６は、近接した携帯端末１００を検出し、携帯端末１００の鍵情報を取得する。そして、起動部２４は取得した鍵情報に基づいて、プライベートフォルダ３００のアクセス制御を解除する。
【００３２】
以下、図８に基づき、携帯端末による鍵の解除の処理の流れを説明する。図８に示されるように、まず位置取得部１５は、表示部１１において携帯端末が接触した位置の位置座標を取得する（ステップＳ３０１）。次いで、起動部２４は取得した位置座標がプライベートフォルダ３００の位置か否かを判定する（ステップＳ３０２）。プライベートフォルダ３００の位置であると判定された場合（ステップＳ３０２：Ｙｅｓ）、起動部２４は、携帯端末にプライベートフォルダ３００の鍵情報があるかを問い合わせる（ステップＳ３０３）。鍵情報としては、データの読み出しのみを許可するものと、読み出し、及び書き込みの両方を許可するものの２種類が存在するようにしてもよい。一方、プライベートフォルダ３００の位置でないと判定された場合（ステップＳ３０２：Ｎｏ）、処理を終了し、他の該当するプログラムが起動されるか、なにも行われない。
【００３３】
次いで、起動部２４は、携帯端末に鍵情報があるか否かを判定する（ステップＳ３０４）。鍵情報があると判定された場合（ステップＳ３０４：Ｙｅｓ）、「鍵が合いました」というメッセージが表示される（ステップＳ３０５）。なお、この際表示するメッセージは他のものであってもよい。また、表示させる場所は、表示部１１であってもよいし、携帯端末のディスプレー上であってもよい。一方、鍵情報がないと判定された場合（ステップＳ３０４：Ｎｏ）、起動部２４は、処理を終了する。次いで、起動部２４は、携帯端末に対してその動作を問い合わせて受信する（ステップＳ３０６）。携帯端末の動作は、携帯端末に設けられた加速度センサーの出力によって示される。起動部２４は、携帯端末の動作を判定して、動作毎に割り当てられたプログラムを起動して、処理を終了する（ステップＳ３０７）。
【００３４】
例えば、鍵情報が読み出しと、書き込みの両方を許可するものである場合について説明する。携帯端末が約９０度プライベートフォルダ３００の位置で回転されると、プライベートフォルダ３００の読み出しのアクセス制限が解除される。また、携帯端末が約１８０度プライベートフォルダ３００の位置で回転されると、プライベートフォルダ３００の読み出しと書き込みのアクセス制限が解除される。この際、解除完了の旨を表示部１１や携帯端末の画面に表示するようにしてもよい。また回転の方向で、読み出し、及び書き込みのいずれを解除するかを決定するようにしてもよい。また、鍵情報が、読み出しのみを許可するものである場合は、携帯端末が約１８０度回転された場合には、「この携帯端末には読み出しのみが許可されています」と表示されて、約９０度携帯端末を回転させる読み出し解除の動作を利用者に促すようにしてもよい。なお操作表示装置１が携帯端末１００の回転を検出する方法としては、携帯端末１００の表示部１１上での接触位置を検出する方法や、携帯端末１００から当該携帯端末１００の向きに関する情報を取得する方法等が挙げられる。なお、携帯端末１００の識別情報を鍵情報とともに取得し、一度アクセス制限を解除した場合は、２度目以降は鍵情報を取得することなく、携帯端末１００の識別情報でアクセス制限を解除するようにすることもできる。
【００３５】
次に、操作表示装置１におけるプログラムを起動する処理の流れを図９を用いて説明する。図９に示されるように、位置取得部１５は、表示部１１へと接触があった否かを判定する（ステップＳ１０1）。表示部１１へと接触があったと判定された場合（ステップＳ１０1：Ｙｅｓ）、位置取得部１５は、接触があった位置座標を取得する（ステップＳ１０２）。一方、表示部１１へと接触があったと判定されなかった場合、処理は繰り返される。
【００３６】
また、ステップ１０１、及びステップＳ１０２の位置取得部１５による表示部１１への接触の検出と並行して、操作表示装置１への携帯端末の近接を検出する処理が行われる。近接検出部１６は、近接した携帯端末を検出したか否かを判定する（ステップＳ１０３）。なお、複数の近接検出部１６は、それぞれがステップＳ１０３の判定処理を行う。近接した携帯端末が検出されたと判定された場合（ステップＳ１０３：Ｙｅｓ）、近接検出部１６は、携帯端末の識別情報を取得し、取得した近接検出部１６の識別情報と対応付けて記憶する（ステップＳ１０４）。なお、近接検出部１６は、取得した識別情報を一時的に記憶しており、例えばそれぞれの近接検出部１６が携帯端末を検出できている間だけ識別情報を記憶しており、検出可能範囲から携帯端末が出た段階で、記憶している識別情報を消去するようにするといった方法で実現することができる。
【００３７】
次いで、起動部２４は、近接検出部１６が取得した携帯端末の識別情報が記憶されて存在しているか否かを判定する（ステップＳ１０５）。携帯端末の識別情報が記憶されていると判定された場合（ステップＳ１０５：Ｙｅｓ）、起動部２４は、接触があった位置座標と最も近い位置における近接検出部１６を特定する（ステップＳ１０６）。近接検出部１６の位置は、配置記憶部２２に記憶されている位置情報から参照する。次いで、起動部２４は、特定した近接検出部１６により検出された携帯端末の識別情報を取得する（ステップＳ１０７）。次いで、起動部２４は、接触されたアイコンの位置座標に基づき、アイコン記憶部２１を参照して、プログラム群２３から起動するプログラムを選択する（ステップＳ１０８）。そして、起動部２４は、特定した携帯端末の識別情報を指定して選択したプログラムを起動する（ステップＳ１０９）。一方、携帯端末の識別情報が記憶されていないと判定された場合（ステップＳ１０５：Ｎｏ）、起動部２４は、指などの携帯端末以外による場合のプログラムを起動させる（ステップＳ１１０）。
【００３８】
次いで、起動されるプログラムの詳細な処理の流れについて、図１０に基づき説明する。図１０に示されるように、まず起動部２４は、指定された携帯端末の識別情報から、携帯端末の属性を取得する（ステップＳ２０１）。取得する属性としては、例えば対応可能なデータ形式、表示画面サイズ、実行可能な機能、及び通信方式などである。取得された携帯端末の属性は記憶される。なお、起動部２４は、これらの属性を例えば通信ＩＦ部１９からインターネットを通じて取得してもよいし、操作表示装置１に予めデータベースとして記憶させておいてもよい。
【００３９】
起動部２４は、取得した携帯端末の属性に応じてプログラムを起動する（ステップＳ２０２）。プログラムの具体的な例としては、例えば音楽のファイルを携帯端末に転送するプログラムである場合、ＭＰ３の再生が可能な携帯端末であるか、ＡＡＣの再生が可能な端末であるかといった属性情報に基づいて、音楽ファイルを携帯端末に対応するファイル形式へと変換する処理が行われる。携帯端末により接触があった場合は、このような変換処理が適宜実施された後に、転送が行われる。また、動画のファイルを携帯端末に転送するプログラムである場合、携帯端末の画面サイズが１９２０×１０８０であるか、６４０×４８０であるかといった属性情報に応じて、動画の解像度を転送先の携帯端末の画面サイズに応じたサイズへと変換した後に、転送が行われる。
【００４０】
また、転送先の携帯端末が無線ＬＡＮによる通信が可能か、Ｂｌｕｅｔｏｏｔｈ（登録商標）による通信が可能かといった属性情報に基づき、データを転送する際の通信手段を変更することもできる。また、データを転送する際には、携帯端末の全体のサイズを示すサイズ情報を所定のサイズ記憶部から取得し、取得した携帯端末のサイズ情報に基づき、表示部１１上に携帯端末に相当する端末の形状の画像を描画し、描画された携帯端末の画像と、他のユーザインタフェイスとの間でデータ転送が実行されている経路が表示されることで、ユーザに対して視覚的にデータを転送中であることを知覚させることができるようになる。サイズ記憶部は、インターネット上に設けられたデータベースであってもよいし、携帯端末や操作表示装置１内に設けられていてもよい。なお、転送するデータが音楽ファイルや映像ファイル、写真ファイルなどである場合、表示部１１に接触したのが携帯端末ではなく、指であると判断された場合は、転送ではなく表示部１１においてデータの再生処理が行われるようにする。
【００４１】
また、反対に操作表示装置１へと携帯端末からデータを転送する場合について説明する。この場合、まず操作表示装置１のプログラムは、携帯端末側に転送しようとするデータの種類を問い合わせる。この際、携帯端末側は画面上に表示し、選択してあるデータの属性情報を操作表示装置１側へと送るが、データが選択されておらず、属性情報が送られてこない場合は、操作表示装置１は「転送したいデータを選択ください」というメッセージを表示させる。
【００４２】
次いで、操作表示装置１では、取得したデータの属性情報から、音楽、映像、及び写真のいずれのデータであるかを判定し、データ毎に予め定められた専用のフォルダが転送先として設定される。また、表示部１１における表示位置や、アイコンの種類も同時に設定される。また、データは属性情報に含まれる日時情報から、日時別のフォルダが転送先として設定されてもよい。こうしたデータ転送にかかる設定処理が完了してから、データの転送が開始される。
【００４３】
また、他の起動されるプログラムの例としては、電子決済用のプログラムも採用可能である。図１１はある商品を購入しようとした場合にその決済用画面４０を示している。決済用画面４０は、購入した商品の情報や決済に使用するカードの情報を表示する購入情報表示部４１、接触部４２、ＯＫボタン４３、及びＮＧボタン４４を含んでいる。接触部４２は、利用者が接触部４２に決済に利用するカードや決済機能を有する携帯端末を接触させる部位である。
【００４４】
起動部２４は、位置取得部１５が取得した位置座標から、接触部４２、ＯＫボタン４３、及びＮＧボタン４４のいずれの位置に接触があったかを判定する。接触部４２に接触があったと判定された場合、近接検出部１６により近接が検出されていれば、その識別情報で特定されるカードや携帯端末から決済情報が取得される。一方、近接検出部１６により近接が検出されていない場合は、「決済を行うカードでタッチしてください」などのメッセージが表示される。
【００４５】
また、ＯＫボタン４３に接触があったと判定された場合は、取得済みの決済情報に従って決済が実行される。また、ＮＧボタン４４に接触があったと判定された場合は、取得済みの決済情報が消去される。なお、この決済用画面４０の表示位置は、近接検出部１６のいずれかと対応するような位置に設定することが望ましい。また、決済時に携帯端末に対して、商品クーポンなどを転送するようにしてもよい。この処理は、上述した音楽や映像データの転送処理と同じ流れによって行うことができる。
【００４６】
以上に示した本実施形態の操作表示装置１においては、携帯端末による表示部１１のアイコンへの接触があった場合に、接触のあったアイコンと最も近い位置における近接検出部１６によって検出された携帯端末の識別情報に基づいてアイコンと対応付けられたプログラムが起動されることとした。そのため、複数の携帯端末が操作表示装置１に近接していると検出されている場合であっても、ユーザが意図する携帯端末との間においてプログラムを起動することができるようになるため、意図しない携帯端末との間でデータが転送されるといった問題が発生することを防ぐことができ、ユーザの利便性を向上させることができるようになる。
【００４７】
また、起動するプログラムに対して適切な携帯端末の属性情報を渡すことで、プログラムは携帯端末に応じてプログラムを実行することができ、利便性を向上させることができるようになる。
【００４８】
（第２の実施形態）
次に、操作表示装置の第２の実施形態について説明する。第２の実施形態においては、図１２に示されるように、操作表示装置１０００は、新たに起動許可部１２５を備え、起動許可部１２５は、近接検出部１６と位置取得部１５とによる携帯端末の検出の時間差が所定の閾値以内である場合のみ、プログラムの起動を許可する点で異なっている。
【００４９】
図１３は、携帯端末３の近接が近接検出部１６によって検出されたＴｉｍｉｎｇ１と、
位置取得部１５による接触の検出がされたＴｉｍｉｎｇ２とのタイミングチャートである。本実施形態においては、この２つのＴｉｍｉｎｇ１、及びＴｉｍｉｎｇ２の間の時間差が所定の閾値以内である場合に、起動許可部１２５は、該当するプログラムの起動を許可する。具体的には、起動許可部１２５は、位置取得部１５による接触の検出があったタイミングで時間の計測を開始する。また、起動許可部１２５は、近接検出部１６による近接の検出があったタイミングで時間の計測を開始する。そして、起動許可部１２５は、位置取得部１５、及び近接検出部１６の双方の検出があった際に、時間の計測を停止し、その際の計測した時間の差が所定の閾値以内か否かを判定する。
【００５０】
なお、起動許可部１２５が近接検出信号を契機に時間の計測を開始する構成に変えて、他の信号を契機とすることもできる。例えば、図１４に示されるように、携帯端末におけるボタンの押下信号を受信したことを契機に、時間の計測を開始したり、図１５に示されるように、加速度センサーを備えた携帯端末からの加速度検出信号を受信したことを契機に時間の計測を開始したりといった構成を採ることができる。この場合、これらの信号は通信ＩＦ部１９を通じて信号を受信することができる。
【００５１】
以上に示した本実施形態の構成によれば、位置の取得と、携帯端末の検出との時間差が大きくなるような、イレギュラーな状況の場合に、プログラムを起動させないようにすることで、ユーザが意図しない処理が実行されることを防止することができる。なお、時間差が所定の閾値よりも大きい場合、操作表示装置１０００は、位置取得部１５が検出した接触を通常の接触動作として処理してもよい。つまり、操作表示装置１０００が動画、音楽、写真等を示すアイコンを表示している場合に位置取得部１５がこれらアイコンの位置に対する接触を検出し、位置の取得と携帯端末の検出とが所定の閾値より大きいと、操作表示装置１００は例えばアイコンに対応するデータを再生する。
【００５２】
なお、第１、及び第２の実施形態において示したプログラムは、操作表示装置１において実行可能なプログラムの例を示したものであり、他のプログラムの実施にも適用することは可能である。
【００５３】
また、近接検出部１６のそれぞれの検出可能な範囲の広さは、表示部１１よりも大きく設定されていてもよく、この場合、近接検出部１６は複数でなく１つであっても良い。
【００５４】
本発明の実施形態を説明したが、実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５５】
［１］
表示部への携帯端末の近接を検出する近接検出部と、
前記表示部上に表示されるアイコンと、携帯端末が前記表示部に近接した場合に特定の処理を行う第１プログラムと、前記携帯端末以外が前記表示部に近接した場合に特定の処理を行う第２プログラムと、前記アイコンの前記表示部上の表示位置を表す第１位置情報と、を対応付けて記憶するアイコン記憶部と、
前記携帯端末または前記携帯端末以外の前記表示部に近接した位置を表す第２位置情報を取得する位置取得部と、
前記位置取得部によって前記第２位置情報が取得された場合に、前記近接検出部により前記表示部への前記携帯端末の近接が検出されたか否かを判断し、前記携帯端末の近接が検出された場合には、前記第２位置情報と最も近い位置の前記近接検出部で検出された携帯端末に基づいて、前記第２位置情報に一致または類似する前記第１位置情報に対応する前記第１プログラムを起動させ、前記携帯端末の近接が検出されていない場合には、前記第２位置情報に一致または類似する前記第１位置情報に対応する前記第２プログラムを起動させる起動部と、
を備えることを特徴とする操作表示装置。
［２］
前記第１プログラムは、前記携帯端末の種類に応じて異なる処理を実行する
ことを特徴とする［１］に記載の操作表示装置。
［３］
非接触通信により前記携帯端末との間で通信を行う通信部と、
前記通信部を通じて前記携帯端末が操作された旨を示す操作信号を受信した場合に、前記操作信号の受信と、前記近接検出部による前記携帯端末の検出との時間差が所定の閾値内以下である場合に、前記起動部による前記第１プログラムの起動を許可する起動許可部と、
を更に備えることを特徴とする［１］に記載の操作表示装置。
［４］
非接触通信により前記携帯端末との間で通信を行う通信部と、
前記通信部を通じて、加速度検出部を備えた前記携帯端末の加速度検出信号を受信した場合に、前記加速度検出信号の受信と、前記近接検出部による前記携帯端末の検出との時間差が所定の閾値以下である場合に、前記起動部による前記第１プログラムの起動を許可する起動許可部と、
を更に備えることを特徴とする［１］に記載の操作表示装置。
［５］
検出された携帯端末のサイズ情報を所定のサイズ記憶部から検索する検索部と、
検索の結果、前記サイズ情報が得られた場合に、得られた前記サイズ情報に基づいて前記表示装置に前記携帯端末の形状を表示させる表示制御部と、
を更に備えることを特徴とする［２］に記載の操作表示装置。
［６］
前記表示部、
をさらに備えることを特徴とする［１］〜［５］のいずれか一つに記載の操作表示装置。
［７］
操作表示装置で実行される操作表示方法であって、
前記操作表示装置は、表示部上に表示されるアイコンと、携帯端末が前記表示部に近接した場合に特定の処理を行う第１プログラムと、前記携帯端末以外が前記表示部に近接した場合に特定の処理を行う第２プログラムと、前記アイコンの前記表示部上の表示位置を表す第１位置情報と、を対応付けて記憶するアイコン記憶部、を備え、
近接検出部により、前記表示部への前記携帯端末の近接を検出する近接検出ステップと、
前記携帯端末または前記携帯端末以外の前記表示部に近接した位置を示す第２位置情報を取得する位置取得ステップと、
前記位置取得ステップによって前記第２位置情報が取得された場合に、前記近接検出部により前記表示部への前記携帯端末の近接が検出されたか否かを判断し、前記携帯端末の近接が検出された場合には、前記第２位置情報と最も近い位置の前記近接検出部で検出された前記携帯端末に基づいて、前記第２位置情報に一致または類似する前記第１位置情報に対応する前記第１プログラムを起動させ、前記携帯端末の近接が検出されていない場合には、前記第２位置情報に一致または類似する前記第１位置情報に対応する前記第２プログラムを起動させる起動ステップと、
を含むことを特徴とする操作表示方法。
【符号の説明】
【００５６】
１  操作表示装置
１１  表示部
１２  ＣＰＵ
１３  表示コントローラ部
１４  ＲＯＭ・ＲＡＭ
１５  位置取得部
１６  近接検出部
１７  位置取得ＩＦ部
１８  近接検出ＩＦ部
１９  通信ＩＦ部
２１  アイコン記憶部
２２  配置記憶部
２３  プログラム群
２４  起動部
３１  アップロードアイコン
６０  配置情報テーブル
１００  携帯端末
１２５  起動許可部
２００  携帯端末
３００  プライベートフォルダ
４００  パブリックフォルダ
【図１】
0005583249.tif 000002
【図２】
0005583249.tif 000003
【図３】
0005583249.tif 000004
【図４】
0005583249.tif 000005
【図５】
0005583249.tif 000006
【図６】
0005583249.tif 000007
【図７】
0005583249.tif 000008
【図８】
0005583249.tif 000009
【図９】
0005583249.tif 000010
【図１０】
0005583249.tif 000011
【図１１】
0005583249.tif 000012
【図１２】
0005583249.tif 000013
【図１３】
0005583249.tif 000014
【図１４】
0005583249.tif 000015
【図１５】
0005583249.tif 000016